(57)【特許請求の範囲】
【請求項１】
正面視で、敷居を含み、前記敷居の中には上方へ開口した収納チャンバが設置され、前記収納チャンバの上端には左右対称のドア枠が設置され、前記ドア枠の中には前記収納チャンバと連通するように連結された昇降チャンバが設置され、前記昇降チャンバのうち対称中心に近接している側の内壁には滑道が連通するように設置され、前記滑道の中には駆動装置がスライドできるように連結され、前記駆動装置が前記滑道とスライドできるように連結されたスライダと、前記スライダに回転できるように連結された伝動軸とにより動力を伝達でき、前記伝動軸には鑑定リングが回転できるように連結され、前記鑑定リングの中には伝動チャンバが設置され、前記伝動チャンバの外円端面には識別器具が設置され、前記識別器具が人の写真を撮れるカメラと指紋を採取できる指紋採取器とにより身分認証を実現でき、前記伝動軸には前記伝動チャンバの中に位置している片方向伝動を実現できる切換装置が設置され、前記伝動軸には左端の前記昇降チャンバの中に位置しているベルト桶が回転できるように連結され、前記ベルト桶の中には軸継手装置が設置され、前記昇降チャンバの頂端内壁には人員が敷居をまたがることを制限できる阻み装置が設置され、前記阻み装置は、前記昇降チャンバの頂端内壁と回転できるように連結された固定軸と、前記固定軸の下端に設置されたリールと、前記リールに巻きつき、且つもう一端が前記スライダと固定的に連結された引きひもとにより同期に開閉することを実現でき、
前記収納チャンバの中にはネジロッドが回転できるように連結され、前記ネジロッドには人員が現場に入ることを防止できるコンロッド装置が設置され、左側の前記昇降チャンバの中には前記ベルト桶の動力を前記ネジロッドに伝達できるテンション部品が設置されていることを特徴とする生産現場における人員の身分認証システム。
【請求項２】
前記駆動装置は前記伝動軸と動力が伝達できるように連結されたモータを含み、前記モータが右側の前記昇降チャンバとスライドできるように連結され、前記伝動軸には左側の前記昇降チャンバの中に位置している回しロッドが設置されていることを特徴とする請求項１に記載の生産現場における人員の身分認証システム。
【請求項３】
前記識別器具は前記伝動チャンバの上端端面に設置された昇降ロッドを含み、前記昇降ロッドの前側内壁には凹溝が連通するように形成され、前記凹溝の中には前記昇降ロッドを密封できる遮り板がスライドできるように連結され、前記凹溝と前記伝動チャンバとの間にはスライドチャンバが連通するように設置され、前記スライドチャンバの中には前記遮り板と固定的に連結された連結ロッドがスライドできるように連結され、前記昇降ロッドの底端内壁には前記カメラと固定的に連結された収納溝がスライドできるように連結され、前記収納溝の下端には前記伝動チャンバの中に位置している当接板が設置され、前記当接板と前記伝動チャンバとの間には圧縮ばねが連結され、前記伝動チャンバの前側端面には前方へ開口した認証溝が形成され、前記指紋採取器と前記認証溝の底端内壁とが固定的に連結されたことを特徴とする請求項１に記載の生産現場における人員の身分認証システム。
【請求項４】
前記切換装置は前記伝動チャンバにスライドできるように連結された支持ロッドを含み、前記支持ロッドにはカムが設置され、前記カムの中には軸継手チャンバが設置され、前記軸継手チャンバの内壁には中心対称の四つのラチェット歯止めが固定的に連結され、前記伝動軸には前記軸継手チャンバの中に位置している回転盤が設置され、前記回転盤の中には前記ラチェット歯止めと当接できる四つの伸縮ロッドがスライドできるように連結され、前記伸縮ロッドと前記回転盤との間には抵抗力ばねが連結され、前記カムの前側端面には前記連結ロッドと固定的に連結された回転ロッドが設置されたことを特徴とする請求項３に記載の生産現場における人員の身分認証システム。
【請求項５】
前記軸継手装置は前記ベルト桶のインナリングに連通するように設置された隠れ溝が形成され、前記隠れ溝の中には前記回しロッドと当接できる引っ掛かりロッドが回転できるように連結され、前記引っ掛かりロッドと前記隠れ溝との間には緩衝ばねが連結されたことを特徴とする請求項２に記載の生産現場における人員の身分認証システム。
【請求項６】
前記阻み装置は前記リールに設置された遮りロッドを含み、前記昇降チャンバの後側内壁には前記遮りロッドとスライドできるように連結された折り畳み溝が連通するように形成され、前記リールの上側と前記昇降チャンバの頂端内壁との間には捻りばねが連結されたことを特徴とする請求項１に記載の生産現場における人員の身分認証システム。
【請求項７】
前記コンロッド装置は前記ネジロッドとネジ山により連結された左右対称のスライドレールを含み、前記スライドレールの上端にはスライドロッドがスライドできるように連結され、前記スライドロッドにはヒンジ連結ロッドがヒンジにより連結され、前記ヒンジ連結ロッドの下端末端が前記滑道の内壁と回転できるように連結され、前記ヒンジ連結ロッドの上端末端が前記スライダとヒンジにより連結されたことを特徴とする請求項１に記載の生産現場における人員の身分認証システム。
【請求項８】
前記テンション部品は前記ネジロッドに設置されたプーリを含み、左側の前記昇降チャンバの左端内壁にはスライド溝が連通するように形成され、前記スライド溝の中には移動ブロックがスライドできるように連結され、前記移動ブロックと前記スライド溝との間には引っ張りばねが連結され、前記移動ブロックには旋転軸が回転できるように連結され、前記旋転軸にはテンションプーリが設置され、前記テンションプーリと前記ベルト桶と前記プーリとの間にはベルトが連結されたことを特徴とする請求項７に記載の生産現場における人員の身分認証システム。
【発明の詳細な説明】
【技術分野】
【０００１】
本発明は身分認証技術分野を取り上げて、具体的には生産現場における人員の身分認証システムである。
【背景技術】
【０００２】
大型工事現場の中で、生産現場に入る人員に対する情報化管理とデジタル化管理とを便利にさせるため、また、各自の財産安全を守るために、身分認証を行う必要がある。従来の認証方式はセキュリティドアを設置し、指紋と面部の情報を採取して認証を行う。しかし、長期の体力労働で、一部の人員の指紋がひどく磨損したため、快速に採取されることができなく、また、工事現場で埃が立っており、長時間空気に晒されたカメラもひどく磨損し、認証効率に影響を与え、労働者の勤務時間を無駄にし、本発明は上記の問題を解決できる装置を開示した。
【先行技術文献】
【特許文献】
【０００３】
【特許文献１】中国特許出願公開第１０９８７４１７１号明細書
【発明の概要】
【発明が解決しようとする課題】
【０００４】
技術問題：
単一の写真認証又は指紋認証の方式は指紋が磨損した人と保護マスクをつけている人にとって不便であり、身分認証の効率が大いに下がる。
【課題を解決するための手段】
【０００５】
上記の問題を解決するために、本発明は生産現場における人員の身分認証システムを設計し、本発明の生産現場における人員の身分認証システムは、敷居を含み、前記敷居の中には上方へ開口した収納チャンバが設置され、前記収納チャンバの上端には左右対称のドア枠が設置され、前記ドア枠の中には前記収納チャンバと連通するように連結された昇降チャンバが設置され、前記昇降チャンバのうち対称中心に近接している側の内壁には滑道が連通するように設置され、前記滑道の中には駆動装置がスライドできるように連結され、前記駆動装置が前記滑道とスライドできるように連結されたスライダと、前記スライダに回転できるように連結された伝動軸とにより動力を伝達でき、前記伝動軸には鑑定リングが回転できるように連結され、前記鑑定リングの中には伝動チャンバが設置され、前記伝動チャンバの外円端面には識別器具が設置され、前記識別器具が人の写真を撮れるカメラと指紋を採取できる指紋採取器とにより身分認証を実現でき、前記伝動軸には前記伝動チャンバの中に位置している片方向伝動を実現できる切換装置が設置され、前記伝動軸には左端の前記昇降チャンバの中に位置しているベルト桶が回転できるように連結され、前記ベルト桶の中には軸継手装置が設置され、前記昇降チャンバの頂端内壁には人員が敷居をまたがることを制限できる阻み装置が設置され、前記阻み装置は、前記昇降チャンバの頂端内壁と回転できるように連結された固定軸と、前記固定軸の下端に設置されたリールと、前記リールに巻きつき、且つもう一端が前記スライダと固定的に連結された引きひもとにより同期に開閉することを実現でき、前記収納チャンバの中にはネジロッドが回転できるように連結され、前記ネジロッドには人員が現場に入ることを防止できるコンロッド装置が設置され、左側の前記昇降チャンバの中には前記ベルト桶の動力を前記ネジロッドに伝達できるテンション部品が設置されている。
【０００６】
前記駆動装置は前記伝動軸と動力が伝達できるように連結されたモータを含み、前記モータが右側の前記昇降チャンバとスライドできるように連結され、前記伝動軸には左側の前記昇降チャンバの中に位置している回しロッドが設置されている。
【０００７】
前記識別器具は前記伝動チャンバの上端端面に設置された昇降ロッドを含み、前記昇降ロッドの前側内壁には凹溝が連通するように形成され、前記凹溝の中には前記昇降ロッドを密封できる遮り板がスライドできるように連結され、前記凹溝と前記伝動チャンバとの間にはスライドチャンバが連通するように設置され、前記スライドチャンバの中には前記遮り板と固定的に連結された連結ロッドがスライドできるように連結され、前記昇降ロッドの底端内壁には前記カメラと固定的に連結された収納溝がスライドできるように連結され、前記収納溝の下端には前記伝動チャンバの中に位置している当接板が設置され、前記当接板と前記伝動チャンバとの間には圧縮ばねが連結され、前記伝動チャンバの前側端面には前方へ開口した認証溝が形成され、前記指紋採取器と前記認証溝の底端内壁とが固定的に連結された。
【０００８】
前記切換装置は前記伝動チャンバにスライドできるように連結された支持ロッドを含み、前記支持ロッドにはカムが設置され、前記カムの中には軸継手チャンバが設置され、前記軸継手チャンバの内壁には中心対称の四つのラチェット歯止めが固定的に連結され、前記伝動軸には前記軸継手チャンバの中に位置している回転盤が設置され、前記回転盤の中には前記ラチェット歯止めと当接できる四つの伸縮ロッドがスライドできるように連結され、前記伸縮ロッドと前記回転盤との間には抵抗力ばねが連結され、前記カムの前側端面には前記連結ロッドと固定的に連結された回転ロッドが設置された。
【０００９】
前記軸継手装置は前記ベルト桶のインナリングに連通するように設置された隠れ溝が形成され、前記隠れ溝の中には前記回しロッドと当接できる引っ掛かりロッドが回転できるように連結され、前記引っ掛かりロッドと前記隠れ溝との間には緩衝ばねが連結された。
【００１０】
前記阻み装置は前記リールに設置された遮りロッドを含み、前記昇降チャンバの後側内壁には前記遮りロッドとスライドできるように連結された折り畳み溝が連通するように形成され、前記リールの上側と前記昇降チャンバの頂端内壁との間には捻りばねが連結された。
【００１１】
前記コンロッド装置は前記ネジロッドとネジ山により連結された左右対称のスライドレールを含み、前記スライドレールの上端にはスライドロッドがスライドできるように連結され、前記スライドロッドにはヒンジ連結ロッドがヒンジにより連結され、前記ヒンジ連結ロッドの下端末端が前記滑道の内壁と回転できるように連結され、前記ヒンジ連結ロッドの上端末端が前記スライダとヒンジにより連結された。
【００１２】
前記テンション部品は前記ネジロッドに設置されたプーリを含み、左側の前記昇降チャンバの左端内壁にはスライド溝が連通するように形成され、前記スライド溝の中には移動ブロックがスライドできるように連結され、前記移動ブロックと前記スライド溝との間には引っ張りばねが連結され、前記移動ブロックには旋転軸が回転できるように連結され、前記旋転軸にはテンションプーリが設置され、前記テンションプーリと前記ベルト桶と前記プーリとの間にはベルトが連結された。
【発明の効果】
【００１３】
本発明の有益効果は：本発明はラチェットギヤとラチェット歯止めの構成を更に改善して転化し、ラチェットギヤとラチェット歯止めをカムとベルト桶の中に置き、動力軸に連れて片方向だけ同期回転することを実現し、これにより同じ軸にある異なる設備が作動中で互いに干渉しなく、認証方式として、指紋認証と人の写真認証という二つの認証方式があり、任意に選べ、一部の人員の採取不便の状況を避け、同時に上下に異なる阻み構成を設置し、該生産現場に属しない人員が入ることを有効的に阻止でき、情報化とディジタル化の管理を強め、生産現場の安全を保障する。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の生産現場における人員の身分認証システムの全体構成模式図
【図２】図２は図１の「Ａ―Ａ」方向の構成模式図
【図３】図３は図１の「Ｂ―Ｂ」方向の構成模式図
【図４】図４は図１の「Ｃ―Ｃ」方向の構成模式図
【発明を実施するための形態】
【００１６】
本発明は生産現場における人員の身分認証システムに関わり、生産現場に入る人員の身分認証の過程に応用され、以下は本発明の付図を交えて本発明について更に説明する：
【００１７】
本発明の生産現場における人員の身分認証システムは、敷居４２を含み、前記敷居４２の中には上方へ開口した収納チャンバ４３が設置され、前記収納チャンバ４３の上端には左右対称のドア枠１１が設置され、前記ドア枠１１の中には前記収納チャンバ４３と連通するように連結された昇降チャンバ１２が設置され、前記昇降チャンバ１２のうち対称中心に近接している側の内壁には滑道２２が連通するように設置され、前記滑道２２の中には駆動装置９０１がスライドできるように連結され、前記駆動装置９０１が前記滑道２２とスライドできるように連結されたスライダ１４と、前記スライダ１４に回転できるように連結された伝動軸１５とにより動力を伝達でき、前記伝動軸１５には鑑定リング２３が回転できるように連結され、前記鑑定リング２３の中には伝動チャンバ２４が設置され、前記伝動チャンバ２４の外円端面には識別器具９０２が設置され、前記識別器具９０２が人の写真を撮れるカメラ２６と指紋を採取できる指紋採取器５１とにより身分認証を実現でき、前記伝動軸１５には前記伝動チャンバ２４の中に位置している片方向伝動を実現できる切換装置９０３が設置され、前記伝動軸１５には左端の前記昇降チャンバ１２の中に位置しているベルト桶３３が回転できるように連結され、前記ベルト桶３３の中には軸継手装置９０４が設置され、前記昇降チャンバ１２の頂端内壁には人員が敷居をまたがることを制限できる阻み装置９０５が設置され、前記阻み装置９０５は、前記昇降チャンバ１２の頂端内壁と回転できるように連結された固定軸１９と、前記固定軸１９の下端に設置されたリール１８と、前記リール１８に巻きつき、且つもう一端が前記スライダ１４と固定的に連結された引きひも１７とにより同期に開閉することを実現でき、前記収納チャンバ４３の中にはネジロッド４４が回転できるように連結され、前記ネジロッド４４には人員が現場に入ることを防止できるコンロッド装置９０６が設置され、左側の前記昇降チャンバ１２の中には前記ベルト桶３３の動力を前記ネジロッド４４に伝達できるテンション部品９０７が設置されている。
【００１８】
実施例によって、以下は駆動装置９０１について詳しく説明し、前記駆動装置９０１は前記伝動軸１５と動力が伝達できるように連結されたモータ１６を含み、前記モータ１６が右側の前記昇降チャンバ１２とスライドできるように連結され、前記伝動軸１５には左側の前記昇降チャンバ１２の中に位置している回しロッド５８が設置されている。
【００１９】
実施例によって、以下は識別器具９０２について詳しく説明し、前記識別器具９０２は前記伝動チャンバ２４の上端端面に設置された昇降ロッド２７を含み、前記昇降ロッド２７の前側内壁には凹溝４８が連通するように形成され、前記凹溝４８の中には前記昇降ロッド２７を密封できる遮り板４６がスライドできるように連結され、前記凹溝４８と前記伝動チャンバ２４との間にはスライドチャンバ４５が連通するように設置され、前記スライドチャンバ４５の中には前記遮り板４６と固定的に連結された連結ロッド４７がスライドできるように連結され、前記昇降ロッド２７の底端内壁には前記カメラ２６と固定的に連結された収納溝２５がスライドできるように連結され、前記収納溝２５の下端には前記伝動チャンバ２４の中に位置している当接板２９が設置され、前記当接板２９と前記伝動チャンバ２４との間には圧縮ばね２８が連結され、前記伝動チャンバ２４の前側端面には前方へ開口した認証溝５０が形成され、前記指紋採取器５１と前記認証溝５０の底端内壁とが固定的に連結され、前記カメラ２６は前記収納溝２５が上下にスライドすることで前記昇降ロッド２７の中に収縮され、また前記遮り板４６により密封保存される。
【００２０】
実施例によって、以下は切換装置９０３について詳しく説明し、前記切換装置９０３は前記伝動チャンバ２４にスライドできるように連結された支持ロッド３２を含み、前記支持ロッド３２にはカム３１が設置され、前記カム３１の中には軸継手チャンバ５６が設置され、前記軸継手チャンバ５６の内壁には中心対称の四つのラチェット歯止め５５が固定的に連結され、前記伝動軸１５には前記軸継手チャンバ５６の中に位置している回転盤５４が設置され、前記回転盤５４の中には前記ラチェット歯止め５５と当接できる四つの伸縮ロッド５２がスライドできるように連結され、前記伸縮ロッド５２と前記回転盤５４との間には抵抗力ばね５３が連結され、前記カム３１の前側端面には前記連結ロッド４７と固定的に連結された回転ロッド４９が設置され、前記カム３１の回転は自体と前記当接板２９との接触点の変化及び前記回転ロッド４９で前記認証器具９０２を切り替える。
【００２１】
実施例によって、以下は軸継手装置９０４について詳しく説明し、前記軸継手装置９０４は前記ベルト桶３３のインナリングに連通するように設置された隠れ溝５９が形成され、前記隠れ溝５９の中には前記回しロッド５８と当接できる引っ掛かりロッド６２が回転できるように連結され、前記引っ掛かりロッド６２と前記隠れ溝５９との間には緩衝ばね６０が連結され、前記隠れ溝５９の内壁が前記引っ掛かりロッド６２を制限することによって、前記伝動軸１５が前記ベルト桶３３を連動させて片方向のみに回転させることができる。
【００２２】
実施例によって、以下は阻み装置９０５について詳しく説明し、前記阻み装置９０５は前記リール１８に設置された遮りロッド２１を含み、前記昇降チャンバ１２の後側内壁には前記遮りロッド２１とスライドできるように連結された折り畳み溝６３が連通するように形成され、前記リール１８の上側と前記昇降チャンバ１２の頂端内壁との間には捻りばね２０が連結され、前記捻りばね２０の弾性変形で、リール１８を回転させ、且つ遮りロッド２１を回転させる。
【００２３】
実施例によって、以下はコンロッド装置９０６について詳しく説明し、前記コンロッド装置９０６は前記ネジロッド４４とネジ山により連結された左右対称のスライドレール４１を含み、前記スライドレール４１の上端にはスライドロッド４０がスライドできるように連結され、前記スライドロッド４０にはヒンジ連結ロッド１３がヒンジにより連結され、前記ヒンジ連結ロッド１３の下端末端が前記滑道２２の内壁と回転できるように連結され、前記ヒンジ連結ロッド１３の上端末端が前記スライダ１４とヒンジにより連結され、これにより前記スライダ１４を押し動かして上下に移動させる。
【００２４】
実施例によって、以下はテンション部品９０７について詳しく説明し、前記テンション部品９０７は前記ネジロッド４４に設置されたプーリ３９を含み、左側の前記昇降チャンバ１２の左端内壁にはスライド溝３５が連通するように形成され、前記スライド溝３５の中には移動ブロック３７がスライドできるように連結され、前記移動ブロック３７と前記スライド溝３５との間には引っ張りばね６１が連結され、前記移動ブロック３７には旋転軸３６が回転できるように連結され、前記旋転軸３６にはテンションプーリ３４が設置され、前記テンションプーリ３４と前記ベルト桶３３と前記プーリ３９との間にはベルト３８が連結され、前記ベルト３８が前記移動ブロック３７に前記スライド溝３５の中でスライドさせることで前記テンションプーリ３４の位置を調整し、前記ベルト桶３３が上方へ移動する過程において前記ベルト３８がずっと締まっている状態にあることを保障する。
【００２５】
以下は図１〜４を交えて本文の生産現場における人員の身分認証システムの使用ステップについて詳しく説明し：
【００２６】
指紋を認証する時、指が指紋採取器５１に押し、認証に成功した後、モータ１６が起動して伝動軸１５を後方へ回転させ、この時、伝動軸１５が回しロッド５８により引っ掛かりロッド６２を回し、引っ掛かりロッド６２が隠れ溝５９の内壁の制限でベルト桶３３を連動させて同期回転させ、ベルト桶３３がベルト３８によりプーリ３９を回転させ、更にネジロッド４４を同期回転させ、ネジロッド４４がネジ山による伝動でスライドレール４１を対称中心から離れている側へスライドさせ、またスライドロッド４０によりヒンジ連結ロッド１３を押し動かし、ヒンジ連結ロッド１３の下端のヒンジにより連結されたところが固定されているため、スライダ１４が押し動かされて上方へ移動し、この時に引きひも１７が緩み、捻りばね２０のばねの弾性復元力でリール１８を連動させて後方へ回転させ、また遮りロッド２１を折り畳み溝６３の中にスライドさせ、スライドレール４１がドア枠１１と当接するまで移動し、この時、ヒンジ連結ロッド１３がスライダ１４を押し動かして滑道２２の上端のところに位置させ、人がドア枠１１の間の隙間を通過でき、そしてモータ１６を止め、伝動軸１５の構成とモータ１６の重量により下方へ移動する。
【００２７】
指紋採取に失敗した後、モータ１６が起動して伝動軸１５を前方へ回転させ、この時、伝動軸１５が回しロッド５８により引っ掛かりロッド６２を押し動かして隠れ溝５９の中へ回転させ、両者が同期ぜずに回転し、また、伝動軸１５が伸縮ロッド５２とラチェット歯止め５５との当接によりカム３１を六十度回転させ、この時に、カム３１が順次に回転ロッド４９と連結ロッド４７とにより遮り板４６を引き動かして凹溝４８の中までスライドさせ、またカム３１が順次に当接板２９と収納溝２５とを押し動かすことによりカメラ２６を昇降ロッド２７の外側に辿るまで上方へ移動させ、人の写真を撮って認証を行い、成功した後に、上記の指紋認証が成功した後の手順を踏んで、ドア枠１１の間の隙間の阻み構成を解除する。
【００２８】
本発明の有益効果は：本発明はラチェットギヤとラチェット歯止めの構成を更に改善して転化し、ラチェットギヤとラチェット歯止めをカムとベルト桶の中に置き、動力軸に連れて片方向だけ同期回転することを実現し、これにより同じ軸にある異なる設備が作動中で互いに干渉しなく、認証方式として、指紋認証と人の写真認証という二つの認証方式があり、任意に選べ、一部の人員の採取不便の状況を避け、同時に上下に異なる阻み構成を設置し、該生産現場に属しない人員が入ることを有効的に阻止でき、情報化とディジタル化の管理を強め、生産現場の安全を保障する。
【００２９】
以上の方式により、本分野の技術者が本発明の範囲内に作動モードにより各種な変化をすることができる。
【要約】
【課題】本発明は生産現場における人員の身分認証システムを開示した。    
【解決手段】
敷居を含み、本発明はラチェットギヤとラチェット歯止めの構成を更に改善して転化し、ラチェットギヤとラチェット歯止めをカムとベルト桶の中に置き、動力軸に連れて片方向だけ同期回転することを実現し、これにより同じ軸にある異なる設備が作動中で互いに干渉しなく、認証方式として、指紋認証と人の写真認証という二つの認証方式があり、任意に選べ、一部の人員の採取不便の状況を避け、同時に上下に異なる阻み構成を設置し、該生産現場に属しない人員が入ることを有効的に阻止でき、情報化とディジタル化の管理を強め、生産現場の安全を保障する。
【選択図】図１【図１】
0006627033.tif 000002
【図２】
0006627033.tif 000003
【図３】
0006627033.tif 000004
【図４】
0006627033.tif 000005